(57)【要約】【課題】  ハイビーム用配光パターンの遠方視認性を改善することができるプロジェクタ型ヘッドランプを提供する。【解決手段】  光源２からの上向きの直射光Ｌは第１サブリフレクタ６で反射された後、サブシェード７の上下動により、カットされるか、第２サブリフレクタ８へ照射される。第２サブリフレクタ８へ照射された直射光Ｌは、第２サブリフレクタ８で反射されて、プロジェクタレンズ５を透過せずに、その上方を通過する。プロジェクタレンズ５を透過しないため、遠くまで届く光となり、ハイビーム用配光パターンＢの際の遠方視認性が向上する。また、サブシェード７がメインシェード４と連動して上下動するため、それらを駆動させるソレノイド３は１つで済む。【選択図】        図４
2007053053.tif 000002
【特許請求の範囲】
【請求項１】
楕円面のメインリフレクタと、メインリフレクタの第１焦点付近に横向きに配置される光源と、メインリフレクタの第２焦点付近に上下動自在に配置されるメインシェードと、メインリフレクタの第２焦点付近に焦点が位置するように配置されるプロジェクタレンズを備えたプロジェクタ型ヘッドランプであって、
前記プロジェクタレンズの上端部のメインリフレクタ側位置に、メインリフレクタの第１焦点を共用した楕円面の第１サブリフレクタを設け、該第１サブリフレクタの第２焦点付近に上下動自在なサブシェードを設け、メインリフレクタの上部に第１サブリフレクタの第２焦点を焦点とする放物面の第２サブリフレクタを設けたことを特徴とするプロジェクタ型ヘッドランプ。
【請求項２】
請求項１記載のプロジェクタ型ヘッドランプであって、
サブシェードがメインシェードと一体的に上下動することを特徴とするプロジェクタ型ヘッドランプ。
【発明の詳細な説明】
【技術分野】
【０００１】
本発明はプロジェクタ型ヘッドランプに関するものである。
【背景技術】
【０００２】
一般にプロジェクタ型ヘッドランプは、光軸に沿って前向き状態で配置された光源と、リフレクタと、プロジェクタレンズと、シェードとから構成されている。シェードを上下動させることにより、ロービーム用配光パターンと、ハイビーム用配光パターンが切り替えられるようになっている。また、最近では、ランプ全体の前後寸法を短くするために、光源を光軸と直角になる横向き状態で配置したプロジェクタ型ヘッドランプも開発されている（例えば、特許文献１参照）。
【特許文献１】特開２００４−１２７８３０号公報
【発明の開示】
【発明が解決しようとする課題】
【０００３】
しかしながら、このような従来の技術にあっては、光源を横向きにしたことにより、光源から上向きに照射される直射光の成分が増加するが、その増加した直射光はプロジェクタランプを透過することにより下向きのビームとなり、せっかく強い光でありながら、ハイビーム用配光パターンの遠方視認性の改善に利用することができない。
【０００４】
本発明は、このような従来の技術に着目してなされたものであり、ハイビーム用配光パターンの遠方視認性を改善することができるプロジェクタ型ヘッドランプを提供するものである。
【課題を解決するための手段】
【０００５】
請求項１記載の発明は、楕円面のメインリフレクタと、メインリフレクタの第１焦点付近に横向きに配置される光源と、メインリフレクタの第２焦点付近に上下動自在に配置されるメインシェードと、メインリフレクタの第２焦点付近に焦点が位置するように配置されるプロジェクタレンズを備えたプロジェクタ型ヘッドランプであって、前記プロジェクタレンズの上端部のメインリフレクタ側位置に、メインリフレクタの第１焦点を共用した楕円面の第１サブリフレクタを設け、該第１サブリフレクタの第２焦点付近に上下動自在なサブシェードを設け、メインリフレクタの上部に第１サブリフレクタの第２焦点を焦点とする放物面の第２サブリフレクタを設けたことを特徴とする。
【０００６】
請求項２記載の発明は、サブシェードがメインシェードと一体的に上下動することを特徴とする。
【発明の効果】
【０００７】
請求項１記載の発明によれば、光源からの上向きの直射光は第１サブリフレクタで反射された後、サブシェードの上下動により、カットされるか、第２サブリフレクタへ照射される。第２サブリフレクタへ照射された直射光は、第２サブリフレクタで反射されて、プロジェクタレンズを透過せずに、その上方を通過する。プロジェクタレンズを透過しないため、遠くまで届く光となり、ハイビーム用配光パターンの遠方視認性が向上する。
【０００８】
請求項２記載の発明によれば、サブシェードがメインシェードと一体的に上下動するため、それらを駆動させる駆動部は１つで済む。
【発明を実施するための最良の形態】
【０００９】
本発明は、ハイビーム用配光パターンの遠方視認性を改善することができるプロジェクタ型ヘッドランプを提供するという目的を、楕円面のメインリフレクタと、メインリフレクタの第１焦点付近に横向きに配置される光源と、メインリフレクタの第２焦点付近に上下動自在に配置されるメインシェードと、メインリフレクタの第２焦点付近に焦点が位置するように配置されるプロジェクタレンズを備えたプロジェクタ型ヘッドランプであって、前記プロジェクタレンズの上端部のメインリフレクタ側位置に、メインリフレクタの第１焦点を共用した楕円面の第１サブリフレクタを設け、該第１サブリフレクタの第２焦点付近に上下動自在なサブシェードを設け、メインリフレクタの上部に第１サブリフレクタの第２焦点を焦点とする放物面の第２サブリフレクタを設けたことで、実現した。以下、本発明の実施例を図面に基づいて説明する。
【実施例】
【００１０】
図１〜図４は、本発明の一実施例を示す図である。この実施例に係るプロジェクタ型ヘッドランプは、楕円面のメインリフレクタ１を備えている。メインリフレクタ１は第１焦点ａと第２焦点ｂを有している。第１焦点ａに高輝度放電灯（ＨＩＤ）等による光源２が横向き状態で配置されている。第２焦点ｂにはソレノイド３により上下動自在なメインシェード４が設けられている。メインシェード４の前方には、メインリフレクタ１の第２焦点ｂを焦点とするプロジェクタランプ５が設定されている。
【００１１】
そして、プロジェクタランプ５の上端部の若干後方には、第１サブリフレクタ６が後向き状態で設置されている。第１サブリフレクタ６は楕円面で、メインリフレクタ１の第１焦点ａを共用している。第１サブリフレクタ６の第２焦点ｃは後方斜め上方に有する。この第２焦点ｃにはサブシェード７が配置されている。このサブシェード７は、下方のメインシェード４と図示せぬブラケットを介して連結されており、メインシェード４と一体的に１つのソレノイド３の駆動力により上下動させることができる。メインリフレクタ１の上部には、第１サブリフレクタ６の第２焦点ｃを焦点とする放物面の第２サブリフレクタ８が設けられている。
【００１２】
ロービームの配光パターンＡ（図３参照）:
ロービームの配光パターンＡを得る場合には、メインシェード４及びサブシェード７をソレノイド３により上昇させ、光源２からメインリフレクタ１に反射されて上向きになる光をメインシェード４でカットすると共に、光源２から第１サブリフレクタ６に反射される上向きの直射光Ｌをサブシェード７でカットする。従って、ロービームの配光パターンＡとなり、車両のすれ違い等の際に好適である。
【００１３】
ハイビームの配光パターンＢ（図４参照）:
ロービームの配光パターンＢを得る場合には、メインシェード４及びサブシェード７をソレノイド３により下降させ、光源２からメインリフレクタ１に反射されて上向きになる光をプロジェクタレンズ５に透過させると共に、光源２から第１サブリフレクタ６で反射される上向きの直射光Ｌを第２サブリフレクタ８で反射して、プロジェクタレンズ５の上方を通過させて前方へ照射する。プロジェクタレンズ５を透過しないため、遠くまで届く光となり、ハイビーム用配光パターンＢの際の遠方視認性が向上する。
【産業上の利用可能性】
【００１４】
この実施例では、メインシェード４とサブシェード７を１つのソレノイド３により作動させるようにしたが、それぞれ独立の駆動源により上下動させても良い。
【図面の簡単な説明】
【００１５】
【図１】本発明の一実施形態に係るプロジェクタ型ヘッドランプを横から見た概略断面図。
【図２】プロジェクタ型ヘッドランプを上から見た概略断面図。
【図３】ロービームの配光パターン状態のプロジェクタランプを示す図１相当の概略断面図。
【図４】ハイビームの配光パターン状態のプロジェクタランプを示す図１相当の概略断面図。
【符号の説明】
【００１６】
１  メインリフレクタ
２  光源
３  ソレノイド
４  メインシェード
５  プロジェクタレンズ
６  第１サブリフレクタ
７  サブシェード
８  第２サブリフレクタ
ａ  メインリフレクタの第１焦点
ｂ  メインリフレクタの第２焦点
ｃ  第１サブリフレクタの第２焦点
Ａ  ロービームの配光パターン
Ｂ  ハイビームの配光パターン
【図１】
2007053053.tif 000003
【図２】
2007053053.tif 000004
【図３】
2007053053.tif 000005
【図４】
2007053053.tif 000006